(57)【要約】【課題】軽量で耐久性に優れるバッテリコアパックフレームを有するバッテリパックを提供する。【解決手段】バッテリパック１０では、ケース１４の内部にバッテリコアパック１６を支持する下側バッテリコアパックフレーム３２が設けられる。下側バッテリコアパックフレーム３２は、フランジ部３４と、当接部３６と、接続部３８とを有する。フランジ部３４は、ケース１４の内面に周方向に形成された下側固定溝３０に挿入される。当接部３６はバッテリコアパック１６の端面に当接する。接続部３８は、フランジ部３４が当接部３６よりもバッテリコアパック１６から離間して配置されるようにフランジ部３４と当接部３６とを接続し、且つフランジ部３４側から当接部３６側に向かってケース１４の内面と離間する距離が大きくなる方向に傾斜する。【選択図】図１
2019067560.tif 000002
【特許請求の範囲】
【請求項１】
セルホルダに保持された複数の電池セルを有するバッテリコアパックと、前記バッテリコアパックを収容するケースとを備えるバッテリパックであって、
前記ケースの内部には、前記バッテリコアパックを支持するバッテリコアパックフレームが設けられ、
前記バッテリコアパックフレームは、
前記ケースの内面に周方向に形成された固定溝に挿入されるフランジ部と、
前記バッテリコアパックの端面に当接する当接部と、
前記フランジ部が前記当接部よりも前記バッテリコアパックから離間して配置されるように前記フランジ部と前記当接部とを接続し、且つ前記フランジ部側から前記当接部側に向かって前記ケースの内面と離間する距離が大きくなる方向に傾斜する接続部と、を有することを特徴とするバッテリパック。
【請求項２】
請求項１記載のバッテリパックにおいて、
前記バッテリコアパックフレームのコーナには、前記当接部の面方向に直交する方向に沿って切り欠き部が設けられていることを特徴とするバッテリパック。
【発明の詳細な説明】
【技術分野】
【０００１】
本発明は、セルホルダに保持された複数の電池セルを有するバッテリコアパックと、バッテリコアパックを収容するケースとを備えるバッテリパックに関する。
【背景技術】
【０００２】
例えば、特許文献１に記載されるように、電動アシスト自転車や、電動バイク等の電動車両に着脱可能に搭載されるバッテリパックとして、セルホルダに保持された複数の電池セルを有するバッテリコアパックと、該バッテリコアパックを収容するケースとを備えるものが知られている。
【先行技術文献】
【特許文献】
【０００３】
【特許文献１】特表２０１６−５３４５１８号公報
【発明の概要】
【発明が解決しようとする課題】
【０００４】
この種のバッテリパックでは、ケースの内部に、バッテリコアパックを支持する支持部材を設けることが考えられる。支持部材は、バッテリコアパックの重量等に応じた荷重を受けるため、該荷重に耐え得る耐久性を備えた構成とする必要がある。
【０００５】
しかしながら、支持部材について、例えば、バッテリコアパックの全体を覆うことが可能となるように体積を増大させる等して耐久性を向上させると重量も増大してしまうため、バッテリパックの軽量化を図ることが困難になる。
【０００６】
本発明は上記した問題を解決するためになされたもので、軽量で耐久性に優れたバッテリパックを提供する。
【課題を解決するための手段】
【０００７】
上記の目的を達成するため、本発明は、セルホルダに保持された複数の電池セルを有するバッテリコアパックと、前記バッテリコアパックを収容するケースとを備えるバッテリパックであって、前記ケースの内部には、前記バッテリコアパックを支持するバッテリコアパックフレームが設けられ、前記バッテリコアパックフレームは、前記ケースの内面に周方向に形成された固定溝に挿入されるフランジ部と、前記バッテリコアパックの端面に当接する当接部と、前記フランジ部が前記当接部よりも前記バッテリコアパックから離間して配置されるように前記フランジ部と前記当接部とを接続し、且つ前記フランジ部側から前記当接部側に向かって前記ケースの内面と離間する距離が大きくなる方向に傾斜する接続部と、を有することを特徴とする。
【０００８】
このバッテリパックのバッテリコアパックフレームでは、バッテリコアパックの端面に当接する当接部から、バッテリコアパックの重量等に応じた荷重が加えられる。この場合、接続部に対して、当接部側がケースの内面から離間し、フランジ部側がケースの内面に接近する方向に力が加えられるため、フランジ部が固定溝の内部に向かって押圧される。
【０００９】
つまり、バッテリコアパックフレームは、バッテリコアパックから荷重が加えられることによって、ケースに強固に固定されるようになる。これによって、ケースから離脱することなく、上記の荷重に耐えて、バッテリコアパックを良好に支持することが可能になる。このように、フランジ部と、接続部と、当接部とを有する簡単な構成によって、バッテリコアパックフレームの耐久性を高めることができる。このため、例えば、バッテリコアパックフレームの体積を増大させることで、その耐久性を高めるような場合に比べて、バッテリコアパックフレームの軽量化を図ることができる。
【００１０】
以上から、このバッテリパックは、軽量で耐久性に優れるバッテリコアパックフレームを備える。これによって、重量が増大することを抑制しつつ、バッテリコアパックを強固に支持することが可能になるため、バッテリパック自体の軽量化や耐久性の向上を図ることが可能になる。また、バッテリコアパックフレームは、フランジ部を固定溝に挿入することでケースに固定することができるため、ボルトやナット等の締結部材を不要とすることができる。これによっても、バッテリパックの軽量化を図ることができる。
【００１１】
上記のバッテリパックにおいて、前記バッテリコアパックフレームのコーナには、前記当接部の面方向に直交する方向に沿って切り欠き部が設けられていることが好ましい。この場合、ケースの内部にバッテリコアパックフレームを設ける際に、該バッテリコアパックフレームを容易に変形させることが可能になるため、フランジ部を固定溝に挿入することが容易になる。
【００１２】
また、バッテリコアパックから加えられる荷重に対して、バッテリコアパックフレームが変形し易くなるため、フランジ部を固定溝の内部に向かって効果的に押圧することが可能になる。その結果、バッテリコアパックフレームをケースに一層強固に固定することが可能になる。さらに、切り欠き部を設ける分、バッテリコアパックフレームのさらなる軽量化を図ることが可能になる。
【発明の効果】
【００１３】
本発明によれば、バッテリパックの軽量化及び耐久性の向上を図ることが可能になる。
【図面の簡単な説明】
【００１４】
【図１】本発明の実施形態に係るバッテリパックの概略斜視図である。
【図２】外殻ケースの下端側の一部と下側バッテリコアパックフレームとの分解斜視図である。
【図３】外殻ケースの下端側の一部と下側バッテリコアパックフレームとの要部断面図である。
【図４】バッテリコアパックの分解斜視図である。
【図５】変形例に係る下側バッテリコアパックフレームの斜視図である。
【発明を実施するための形態】
【００１５】
本発明に係るバッテリパックについて好適な実施形態を挙げ、添付の図面を参照しながら詳細に説明する。
【００１６】
図１は、本実施形態に係るバッテリパック１０の概略斜視図である。なお、図１では、理解を容易にするべく、外殻ケース１２を二点鎖線で示し、該外殻ケース１２の内側に配置される構成要素を図示している。
【００１７】
バッテリパック１０は、例えば、電動アシスト自転車や、電動バイク等の電動車両（不図示）に着脱可能に搭載される携帯式のバッテリパック１０として好適に適用することができる。そこで、以下では、バッテリパック１０が電動車両に搭載される例について説明するが、特にこれに限定されるものではなく、バッテリパック１０は、電力を必要とする様々な機器に適用することができる。また、バッテリパック１０の上下方向は、該バッテリパック１０を電動車両に搭載した際の鉛直方向（図１の矢印Ｘ１、Ｘ２方向）を基準とする。
【００１８】
図１に示すように、バッテリパック１０は、ケース１４と、２個のバッテリコアパック１６ａ、１６ｂを連結した連結体１８と、バッテリ管理装置（Ｂａｔｔｅｒｙ Ｍａｎａｇｅｍｅｎｔ Ｕｎｉｔ：ＢＭＵ）２４と、不図示のコネクタ部とを主に備える。ケース１４は、例えば、アルミニウム等の金属や、樹脂（繊維強化樹脂を含む）等から形成することができる。また、ケース１４は、連結体１８の底面を覆うボトムケース２６と、該ボトムケース２６の上端部に取り付けられ、連結体１８の側面を覆う外殻ケース１２と、該外殻ケース１２の上端部に取り付けられ、連結体１８の上面を覆うトップケース２８とを有する。
【００１９】
ボトムケース２６は、上端部に開口が設けられた筐体であり、内部にコネクタ部等が収容される。コネクタ部は、例えば、該ボトムケース２６の底壁に形成された切り欠き等を介してケース１４の外部に露出し、電動車両の電力供給口、又は連結体１８を充電するための充電装置に対して接続可能となっている。なお、上記の切り欠き、電力供給口、充電装置は何れも不図示である。コネクタ部を電力供給口又は充電装置に接続することで、不図示のリード線等によって、電力供給口又は充電装置と連結体１８とを、ＢＭＵ２４を介して電気的に接続することができる。
【００２０】
外殻ケース１２は、上下方向の両端部に開口が設けられている。外殻ケース１２の下端側の開口にボトムケース２６の上端側の一部が挿入される。外殻ケース１２に挿入されたボトムケース２６の上端よりも上方の外殻ケース１２の内壁には、該外殻ケース１２の周方向に沿って下側固定溝３０が形成されている。この下側固定溝３０に、連結体１８をその下側から支持する下側バッテリコアパックフレーム３２が固定されている。
【００２１】
具体的には、図２及び図３に示すように、下側バッテリコアパックフレーム３２は、フランジ部３４と、当接部３６と、接続部３８とを有する。フランジ部３４は、接続部３８の下端側の外周縁部から水平方向の外側に向かって延在し、下側固定溝３０に挿入される。当接部３６は、連結体１８の下端面が部分的に当接する枠板状である。また、当接部３６には、水平方向の略中央を横断するように補強部４０が設けられ、該補強部４０の延在方向に直交する方向の両側に開口部４２が設けられる。図３に示すように、当接部３６の外周縁部は、外殻ケース１２の内面と間隔をおいて配置される。
【００２２】
接続部３８は、下端がフランジ部３４に接続されるとともに、上端が当接部３６に接続され、フランジ部３４側（下側）から当接部３６側（上側）に向かって外殻ケース１２の内面と離間する距離が大きくなる方向に傾斜する板状である。
【００２３】
図２に示すように、例えば、外殻ケース１２の下端側の開口を介して外殻ケース１２の内部に下側バッテリコアパックフレーム３２を当接部３６側から収容する。そして、フランジ部３４を下側固定溝３０に挿入することで、下側バッテリコアパックフレーム３２を下側固定溝３０に固定することができる。この際、下側バッテリコアパックフレーム３２及び外殻ケース１２の各々のコーナはＲをつけた形状とし、下側バッテリコアパックフレーム３２のコーナの曲率を、外殻ケース１２のコーナの曲率よりも小さくすることで、下側固定溝３０にフランジ部３４を容易に挿入することが可能になる。
【００２４】
ボトムケース２６の底面には、下側バッテリコアパックフレーム３２の当接部３６に向かって突出する凸部が設けられ、該凸部と当接部３６とがボルト等によって固定されている（何れも不図示）。
【００２５】
外殻ケース１２の上端側の開口には、トップケース２８の下端側の一部が挿入される。外殻ケース１２に挿入されたトップケース２８の下端よりも下方の外殻ケース１２の内壁に、上側固定溝４４が形成される。この上側固定溝４４に、連結体１８の上端面に当接する上側バッテリコアパックフレーム４６が固定されている。
【００２６】
上側バッテリコアパックフレーム４６は、下側バッテリコアパックフレーム３２と略同様の形状であり、該下側バッテリコアパックフレーム３２と上下方向を反対にした状態で上側固定溝４４に固定されている。このため、上側バッテリコアパックフレーム４６の詳細な説明については省略する。
【００２７】
上記のようにして外殻ケース１２に固定された上側バッテリコアパックフレーム４６と下側バッテリコアパックフレーム３２との間に連結体１８が挟持される。
【００２８】
トップケース２８は、下端部に開口が設けられた筐体であり、上端面には、バッテリパック１０を持ち運ぶ際に把持することが可能なハンドル部４８が設けられている。また、トップケース２８と上側バッテリコアパックフレーム４６も、ボトムケース２６と下側バッテリコアパックフレーム３２と同様にボルト（不図示）等によって固定されている。
【００２９】
連結体１８を構成する２個のバッテリコアパック１６ａ、１６ｂは、互いに略同様に構成される。そこで、２個のバッテリコアパック１６ａ、１６ｂの互いに対応する構成要素には、同一の参照符号を付して共通に説明する。また、２個のバッテリコアパック１６ａ、１６ｂを互いに区別しないときには、総称してバッテリコアパック１６ともいう。
【００３０】
バッテリコアパック１６は、複数の電池セル５０（図４参照）と、セルホルダ５２とを有する。図１に示すように、本実施形態では、バッテリコアパック１６とコネクタ部との間に不図示の配線等を収容する空間５３を形成するべく、バッテリコアパック１６は、その下端側の一部が切り欠かれた形状となっている。
【００３１】
図４に示すように、電池セル５０は、例えば、円筒状であり、軸方向の両端部に正極端子５４及び負極端子５６がそれぞれ設けられている。電池セル５０の好適な種類としては、リチウムイオン二次電池を挙げることができるが、特にこれに限定されず、例えば、ニッケル水素電池やニッケルカドミウム電池等の二次電池を用いてもよい。
【００３２】
セルホルダ５２は、正極側ホルダ５２ａ及び負極側ホルダ５２ｂを組み合わせて構成され、複数の電池セル５０を保持する保持部６０と、露出部６２が設けられた押さえ板部６３と、保持部６０及び露出部６２を囲む周壁部６４とを有する。正極側ホルダ５２ａの露出部６２から正極端子５４が露出し、負極側ホルダ５２ｂの露出部６２から負極端子５６が露出する。
【００３３】
なお、以下では、セルホルダ５２について、上記の上下方向（以下、Ｘ方向ともいう）と、電池セル５０の軸方向（図１の矢印Ｙ１、Ｙ２方向、以下、Ｙ方向ともいう）と、上下方向及び軸方向の両方に直交する方向（図１の矢印Ｚ１、Ｚ２方向、以下、Ｚ方向ともいう）とを基準として説明する。
【００３４】
保持部６０は、複数の挿通孔６６を有し、電池セル５０を該挿通孔６６にそれぞれ挿通した状態で保持する。挿通孔６６は、Ｙ方向に沿って延在し、その延在方向の両端の開口から電池セル５０の正極端子５４又は負極端子５６をそれぞれ露出させる。挿通孔６６の径は、電池セル５０の外径に応じた大きさである。保持部６０に保持された複数の電池セル５０は、それぞれの正極端子５４が互いに面一に配置され、且つそれぞれの負極端子５６が互いに面一に配置される。また、保持部６０に保持された複数の電池セル５０の周面同士の間には、絶縁樹脂等からなるポッティング材（不図示）が充填されてもよい。
【００３５】
押さえ板部６３は、保持部６０のＹ方向の両端側にそれぞれ設けられ、挿通孔６６の開口に対応する位置に露出部６２として貫通孔が形成されている。挿通孔６６の開口及び露出部６２を介して正極端子５４及び負極端子５６（以下、これらを総称して電極端子ともいう）がそれぞれセルホルダ５２の外部に露出する。また、正極端子５４を露出させる露出部６２と、負極端子５６を露出させる露出部６２とのそれぞれを覆うように、複数のバスバープレート７０（図１参照）が押さえ板部６３に取り付けられる。押さえ板部６３には、バスバープレート７０同士の間に介在して互いを絶縁する突条部７２が設けられている。
【００３６】
一方のバッテリコアパック１６ａの負極端子５６側と、他方のバッテリコアパック１６ｂの正極端子５４側とが互いに対向するように、２個のバッテリコアパック１６ａ、１６ｂが連結されて連結体１８が形成されている。
【００３７】
一方のバッテリコアパック１６ａの正極端子５４側と、他方のバッテリコアパック１６ｂの負極端子５６側、換言すると、連結体１８のＹ方向の両側の側面は、外殻ケース１２の内面側に臨む。
【００３８】
複数のバスバープレート７０のそれぞれは、正極端子５４同士又は負極端子５６同士を所定の個数ずつ並列に接続するものであり、露出部６２内に進入して電極端子と接触する突出部７４が例えばエンボス加工等によって設けられている。バスバープレート７０には、周壁部６４の端面に設けられた溝７６に挿入される接続端部７８がそれぞれ設けられている。この接続端部７８と上記のリード線等が接続されることにより、複数のバスバープレート７０が、互いに直列に接続された状態でＢＭＵ２４を介してコネクタ部に接続される。
【００３９】
なお、バスバープレート７０と外殻ケース１２の内面との間には、不図示の放熱シートを介在させることが好ましい。この場合、電池セル５０で発生する熱を、放熱シートを介して効果的に放熱することが可能になるため、連結体１８の温度上昇を抑制できる。
【００４０】
バッテリコアパック１６ａの正極側ホルダ５２ａのＹ方向一端側（図１の矢印Ｙ２側）の上端部と、バッテリコアパック１６ｂの負極側ホルダ５２ｂのＹ方向他端側（図１の矢印Ｙ１側）の上端部には、上側に向かって突出する突出壁８０がそれぞれ設けられる。突出壁８０の上端面に上側バッテリコアパックフレーム４６が当接する。これによって、連結体１８と上側バッテリコアパックフレーム４６との間に空間８２が形成され、該空間８２にＢＭＵ２４が配設されている（図１参照）。
【００４１】
ＢＭＵ２４は、例えば、バッテリコアパック１６の充放電の制御を行う制御部と、電動車両及び充電装置と通信を行う通信部と、電池セル５０の温度や電圧等から検出したバッテリコアパック１６の状態を記憶する記憶部とを有する（何れも不図示）。
【００４２】
本実施形態に係るバッテリパック１０は、基本的には以上のように構成される。このバッテリパック１０では、例えば、ハンドル部４８を把持してバッテリパック１０を充電装置の近傍に持ち運び、コネクタ部と充電装置とを接続することにより、電池セル５０の充電を行うことができる。一方、例えば、ハンドル部４８を把持して持ち運んだバッテリパック１０を電動車両に搭載して、コネクタ部と電力供給口とを接続することにより、電池セル５０の放電を行うことができる。
【００４３】
上記の通り、バッテリパック１０では、トップケース２８に設けられたハンドル部４８を把持して持ち運ぶことや、電動車両に対してボトムケース２６側を鉛直方向の下側に配置した状態で搭載すること等が想定されている。このため、下側バッテリコアパックフレーム３２に連結体１８の重量等に応じた荷重が加えられる。
【００４４】
具体的には、図３に示すように、下側バッテリコアパックフレーム３２には、連結体１８の端面に当接する当接部３６から矢印Ｐ１で示す方向に荷重が加えられる。この場合、接続部３８に対して、当接部３６側が外殻ケース１２の内面から離間し、フランジ部３４側が外殻ケース１２の内面に接近する方向に力が加えられるため、矢印Ｐ２で示すように、フランジ部３４が下側固定溝３０の内部に向かって押圧される。
【００４５】
つまり、下側バッテリコアパックフレーム３２は、連結体１８から荷重が加えられることによって、外殻ケース１２に強固に固定されるようになる。これによって、外殻ケース１２から離脱することなく、上記の荷重に耐えて、連結体１８を良好に支持することが可能になる。このように、フランジ部３４と、接続部３８と、当接部３６とを有する簡単な構成によって、下側バッテリコアパックフレーム３２の耐久性を高めることができる。このため、例えば、下側バッテリコアパックフレーム３２の体積を増大させることで、その耐久性を高めるような場合に比べて、下側バッテリコアパックフレーム３２の軽量化を図ることができる。なお、補強部４０を設けることで、下側バッテリコアパックフレーム３２の剛性を高めることができる。また、補強部４０は、当接部３６と外殻ケース１２の内面との離間距離が大きくなった場合であっても、下側バッテリコアパックフレーム３２のコーナ部に応力が集中することを抑制する働きをする。
【００４６】
以上から、このバッテリパック１０は、軽量でありながら耐久性に優れる下側バッテリコアパックフレーム３２を備える。これによって、重量が増大することを抑制しつつ、連結体１８を強固に支持することが可能になるため、バッテリパック１０自体の軽量化や耐久性の向上を図ることが可能になる。
【００４７】
また、下側バッテリコアパックフレーム３２は、フランジ部３４を下側固定溝３０に挿入することで外殻ケース１２に固定することができるため、ボルトやナット等の締結部材（不図示）を不要とすることができる。これによっても、バッテリパック１０の軽量化を図ることができる。
【００４８】
なお、本実施形態では、上側バッテリコアパックフレーム４６についても、下側バッテリコアパックフレーム３２と同様に構成されているため、同様の作用効果を得ることができる。すなわち、バッテリパック１０のトップケース２８側を鉛直方向の下側に配置して使用した場合であっても、上側バッテリコアパックフレーム４６は外殻ケース１２から離脱することなく、連結体１８からの荷重に耐えて、該連結体１８を良好に支持することができる。
【００４９】
本発明は、上記した実施形態に特に限定されるものではなく、その要旨を逸脱しない範囲で種々の変形が可能である。
【００５０】
例えば、バッテリパック１０は、上記の下側バッテリコアパックフレーム３２に代えて、図５に示す下側バッテリコアパックフレーム９０を備えてもよい。図５は、変形例に係る下側バッテリコアパックフレーム９０の斜視図である。なお、図５に示す構成要素のうち、図１〜図４に示す構成要素と同一又は同様の機能及び効果を奏するものに対しては同一の参照符号を付し、詳細な説明を省略する。
【００５１】
下側バッテリコアパックフレーム９０は、そのコーナに切り欠き部９２が設けられている。具体的には、切り欠き部９２は、当接部３６側からフランジ部３４側に向かって幅が大きくなるように、主にフランジ部３４及び接続部３８が切り欠かれた形状となっている。このように、当接部３６の面方向に直交する方向に沿って切り欠き部９２が設けられることで、上記のようにして、外殻ケース１２の内部に下側バッテリコアパックフレーム９０を収容する際に、該下側バッテリコアパックフレーム９０を容易に変形させることが可能になる。これによって、下側固定溝３０にフランジ部３４を挿入することが容易になる。
【００５２】
また、連結体１８から加えられる荷重に対して、下側バッテリコアパックフレーム９０が変形し易くなるため、フランジ部３４を下側固定溝３０の内部に向かって効果的に押圧することが可能になる。その結果、下側バッテリコアパックフレーム９０を外殻ケース１２に一層強固に固定することが可能になる。さらに、切り欠き部９２を設ける分、下側バッテリコアパックフレーム９０のさらなる軽量化を図ることが可能になる。
【００５３】
なお、上側バッテリコアパックフレーム４６についても、下側バッテリコアパックフレーム９０と同様にして切り欠き部９２を設けてもよい。
【００５４】
上記の実施形態に係るバッテリパック１０では、２個のバッテリコアパック１６ａ、１６ｂを連結した連結体１８を備えることとした。しかしながら、バッテリパック１０は、１個のバッテリコアパックのみを備えてもよいし、３個以上のバッテリコアパックを連結した連結体（不図示）を備えてもよい。
【符号の説明】
【００５５】
１０…バッテリパック            １２…外殻ケース
１４…ケース                    １６、１６ａ、１６ｂ…バッテリコアパック
１８…連結体                    ３０…下側固定溝
３２、９０…下側バッテリコアパックフレーム
３４…フランジ部                ３６…当接部
３８…接続部                    ４４…上側固定溝
４６…上側バッテリコアパックフレーム
５０…電池セル                  ５２…セルホルダ
９２…切り欠き部
【図１】
2019067560.tif 000003
【図２】
2019067560.tif 000004
【図３】
2019067560.tif 000005
【図４】
2019067560.tif 000006
【図５】
2019067560.tif 000007